(57)【要約】      （修正有）【課題】傾斜角が設けられたコンクリート型枠板に対し、延長筒の先端面を傾斜するコンクリート型枠板の内面に沿わせて当接させることが可能なセパレータ用プラグ装置を提供する。【解決手段】固定ナット１の先端側に嵌着されてコンクリートに嵌め殺しにされる筒状のコーン２と、軸心孔２１内に差し込んで固定ナット１の雌ねじ部１２に対し着脱自在に螺合連結される軸足ボルト４と、筒状でコンクリート硬化後に引き抜かれるかぶり延長筒３と、コンクリート型枠板８との間に介装されるリングプレート１０とを備え、リングプレート１０は、軸足ボルト４の外周面との間に十分な環状隙間ｈ１が形成されるように軸足ボルト４の外径より大径の軸心孔１０ａと、かぶり延長筒３の先端外形より大径でかぶり延長筒３との当節面側が凸球面１０ｂに形成され、かぶり延長筒３における軸心孔３１の先端開口縁部に面取り状テーパー部３２が形成されている。【選択図】図５
2014020122.tif 000002
【特許請求の範囲】
【請求項１】
雌ねじ部を有する固定ナットと、固定ナットの先端側に嵌着されてコンクリートに嵌め殺しにされる筒状のコーンと、コーンの先端側からその軸心孔内に差し込んで固定ナットの雌ねじ部に対し着脱自在に螺合連結される軸足ボルトと、軸足ボルトを挿通可能な軸心孔とコーンの軸心孔より大径の外径を有する筒状でコンクリート硬化後に引き抜かれるかぶり延長筒と、該かぶり延長筒の先端面とコンクリート型枠板との間に介装されるリングプレートと、を備え、
前記リングプレートは、軸足ボルトの外周面との間に十分な環状隙間が形成されるように軸足ボルトの外径より大径の軸心孔と、かぶり延長筒の先端外形より大径でかぶり延長筒との当節面側が凸球面に形成され、
前記かぶり延長筒における軸心孔の先端開口縁部に面取り状テーパー部が形成されていることを特徴とするセパレータ用プラグ装置。
【請求項２】
請求項１記載のセパレータ用プラグ装置において、
前記面取り状テーパー部がリングプレート１０の凸球面に沿った凹球面に形成されていることを特徴とするセパレータ用プラグ装置。
【請求項３】
請求項１又は２記載のセパレータ用プラグ装置において、
前記かぶり延長筒の軸心孔は、軸足ボルトの外周面との間に所定の環状隙間が形成されるように軸足ボルトの外径より大径に形成されていることを特徴とするセパレータ用プラグ装置。
【請求項４】
請求項１〜３のいずれか１項に記載のセパレータ用プラグ装置において、
前記かぶり延長筒は、その基端開口縁部にコーンの軸心孔内に差し込み可能な外径を有する環状突部を有していることを特徴とするセパレータ用プラグ装置。
【請求項５】
請求項１〜４のいずれか１項に記載のセパレータ用プラグ装置において、
前記軸足ボルトの先端部には該軸足ボルトを回転操作可能な工具掛け部が形成されていることを特徴とするセパレータ用プラグ装置。
【請求項６】
請求項１〜５のいずれか１項に記載のセパレータ用プラグ装置において、
前記かぶり延長対が合成樹脂で構成されていることを特徴とするセパレータ用プラグ装置。
【請求項７】
請求項１〜６のいずれか１項に記載のセパレータ用プラグ装置において、
前記かぶり延長筒の外周面が先端側へ行くにつれて大径になるテーパー面に形成されていることを特徴とするセパレータ用プラグ装置。
【請求項８】
請求項１〜７のいずれか１項に記載のセパレータ用プラグ装置において、
前記コーンがセラミックスで構成されていることを特徴とするセパレータ用プラグ装置。
【請求項９】
請求項１〜８のいずれか１項に記載のセパレータ用プラグ装置において、
前記かぶり延長筒の軸心孔とコーンの軸心孔内に圧入して止水可能な止水栓が備えられていることを特徴とするセパレータ用プラグ装置。
【請求項１０】
雌ねじ部を有する固定ナットと、固定ナットの先端側に嵌着されてコンクリートに嵌め殺しにされる筒状のコーンと、コーンの先端側からその軸心孔内に差し込んで固定ナットの雌ねじ部に対し着脱自在に螺合連結される軸足ボルトと、コーンの先端面とコンクリート型枠板８との間に介装されるリングプレートと、を備え、
前記リングプレートは、軸足ボルトの外周面との間に十分な環状隙間が形成されるように軸足ボルトの外径より大径の軸心孔と、コーンの先端外形より大径でコーンとの当節面側が凸球面に形成され、
前記コーンにおける軸心孔の先端開口縁部に面取り状テーパー部が形成されていることを特徴とするセパレータ用プラグ装置。
【請求項１１】
請求項１０記載のセパレータ用プラグ装置において、
前記面取り状テーパー部がリングプレートの凸球面に沿った凹球面に形成されていることを特徴とするセパレータ用プラグ装置。
【請求項１２】
請求項１０又は１１記載のセパレータ用プラグ装置において、
前記コーンの軸心孔内に圧入して止水可能な止水栓が備えられていることを特徴とするセパレータ用プラグ装置。
【発明の詳細な説明】
【技術分野】
【０００１】
本発明は、セパレータ用プラグ装置に関する。
【背景技術】
【０００２】
従来、セパレータ用プラグ装置としては、図１１に示すように、雌ねじ部１１０、１２０を有する固定ナット１００と、固定ナット１００の先端側に嵌着されてコンクリート７０に嵌め殺しにされる筒状のコーン２００と、コーン２００の先端側からその軸心孔２１０内に差し込んで固定ナット１００の雌ねじ部１２０に対し着脱自在に螺合連結される軸足ボルト４００と、軸足ボルト４００を挿通可能な軸心孔３１０とコーン２００の軸心孔２１０より大径の外径を有する筒状でその先端部外周にコンクリート型枠板８０に当接する肉薄の係止フランジ部３２０を有するかぶり延長筒３００と、を備えた構成となっている。（例えば、特許文献１参照。）
【先行技術文献】
【特許文献】
【０００３】
【特許文献１】特開２００８−１５０８８６号公報
【発明の概要】
【発明が解決しようとする課題】
【０００４】
しかしながら、上述の従来例では、以下に述べるような問題点があった。
すなわち、例えば、高速道路の側壁におけるように、車の衝突時における衝撃緩和の目的で、側壁の車道側面に外向きの傾斜角が設けられている。このように、外面が垂直ではない構造物のコンクリート打設作業においては、かぶり延長筒３０の先端面を傾斜するコンクリート型枠板８０の内面に沿わせて当接させるために、セパレータ５００自体を曲げる等の面倒な作業が必要で、多くの時間と労力を要し、これが工期を長引かせる原因となっていた。
【０００５】
本発明の解決しようとする課題は、面倒な作業を必要とすることなしに、傾斜角が設けられたコンクリート型枠板に対し、その傾斜角に応じてかぶり延長筒の先端面を傾斜するコンクリート型枠板の内面に沿わせて当接させることが可能なセパレータ用プラグ装置を提供することにある。
【課題を解決するための手段】
【０００６】
上記課題を解決するため請求項１記載のセパレータ用プラグ装置は、雌ねじ部を有する固定ナットと、固定ナットの先端側に嵌着されてコンクリートに嵌め殺しにされる筒状のコーンと、コーンの先端側からその軸心孔内に差し込んで固定ナットの雌ねじ部に対し着脱自在に螺合連結される軸足ボルトと、軸足ボルトを挿通可能な軸心孔とコーンの軸心孔より大径の外径を有する筒状でコンクリート硬化後に引き抜かれるかぶり延長筒と、該かぶり延長筒の先端面とコンクリート型枠板との間に介装されるリングプレートと、を備え、
前記リングプレートは、軸足ボルトの外周面との間に十分な環状隙間が形成されるように軸足ボルトの外径より大径の軸心孔と、かぶり延長筒の先端外形より大径でかぶり延長筒との当節面側が凸球面に形成され、
前記かぶり延長筒における軸心孔の先端開口縁部に面取り状テーパー部が形成されていることを特徴とする手段とした。
【０００７】
請求項２記載のセパレータ用プラグ装置は、請求項１記載のセパレータ用プラグ装置において、
前記面取り状テーパー部がリングプレートの凸球面に沿った凹球面に形成されていることを特徴とする手段とした。
【０００８】
請求項３記載のセパレータ用プラグ装置は、請求項１又は２記載のセパレータ用プラグ装置において、
前記かぶり延長筒の軸心孔は、軸足ボルトの外周面との間に所定の環状隙間が形成されるように軸足ボルトの外径より大径に形成されていることを特徴とする手段とした。
【０００９】
請求項４記載のセパレータ用プラグ装置は、請求項１〜３のいずれか１項に記載のセパレータ用プラグ装置において、
前記かぶり延長筒は、その基端開口縁部にコーンの軸心孔内に差し込み可能な外径を有する環状突部を有していることを特徴とする手段とした。
【００１０】
請求項５記載のセパレータ用プラグ装置は、請求項１〜４のいずれか１項に記載のセパレータ用プラグ装置において、
前記軸足ボルト４の先端部には該軸足ボルト４を回転操作可能な工具掛け部が形成されていることを特徴とする手段とした。
【００１１】
請求項６記載のセパレータ用プラグ装置は、請求項１〜５のいずれか１項に記載のセパレータ用プラグ装置において、
前記かぶり延長対３が合成樹脂で構成されていることを特徴とする手段とした。
【００１２】
請求項７記載のセパレータ用プラグ装置は、請求項１〜６のいずれか１項に記載のセパレータ用プラグ装置において、
前記かぶり延長筒の外周面が先端側へ行くにつれて大径になるテーパー面に形成されていることを特徴とする手段とした。
【００１３】
請求項８記載のセパレータ用プラグ装置は、請求項１〜７のいずれか１項に記載のセパレータ用プラグ装置において、
前記コーンがセラミックスで構成されていることを特徴とする手段とした。
【００１４】
請求項９記載のセパレータ用プラグ装置は、請求項１〜８のいずれか１項に記載のセパレータ用プラグ装置において、
前記かぶり延長筒の軸心孔とコーンの軸心孔内に圧入して止水可能な止水栓が備えられていることを特徴とする手段とした。
【００１５】
請求項１０記載のセパレータ用プラグ装置は、雌ねじ部を有する固定ナットと、固定ナットの先端側に嵌着されてコンクリートに嵌め殺しにされる筒状のコーンと、コーンの先端側からその軸心孔内に差し込んで固定ナットの雌ねじ部に対し着脱自在に螺合連結される軸足ボルトと、コーンの先端面とコンクリート型枠板との間に介装されるリングプレートと、を備え、
前記リングプレートは、軸足ボルトの外周面との間に十分な環状隙間が形成されるように軸足ボルトの外径より大径の軸心孔と、コーンの先端外形より大径でコーンとの当節面側が凸球面に形成され、
前記コーンにおける軸心孔の先端開口縁部に面取り状テーパー部が形成されていることを特徴とする手段とした。
【００１６】
請求項１１記載のセパレータ用プラグ装置は、請求項１０記載のセパレータ用プラグ装置において、
前記面取り状テーパー部がリングプレートの凸球面に沿った凹球面に形成されていることを特徴とする手段とした。
【００１７】
請求項１２記載のセパレータ用プラグ装置は、請求項１０又は１１記載のセパレータ用プラグ装置において、
前記コーンの軸心孔内に圧入して止水可能な止水栓が備えられていることを特徴とする手段とした。
【発明の効果】
【００１８】
請求項１記載のセパレータ用プラグ装置では、上述のように、リングプレートは、軸足ボルトの外周面との間に十分な環状隙間が形成されるように軸足ボルトの外径より大径の軸心孔と、かぶり延長筒の先端外形より大径でかぶり延長筒との当節面側が凸球面に形成され、かぶり延長筒における軸心孔の先端開口縁部に面取り状テーパー部が形成されている構成としたことで、かぶり延長筒の面取り状テーパー部に対しリングプレートの凸球面７が自在に摺動して先端面が傾斜するため、セパレータ自体を曲げる等の面倒な作業を必要とすることなしに、傾斜角が設けられたコンクリート型枠板に対し、その傾斜角に応じてリングプレートの先端面を傾斜するコンクリート型枠板の内面に沿わせて当接させることが可能になる。
これにより、労力の低減と工期短縮が可能になる。
【００１９】
請求項２記載のセパレータ用プラグ装置では、上述のように、面取り状テーパー部がリングプレートの凸球面に沿った凹球面に形成されることで、かぶり延長筒に対するリングプレートの傾斜がスムーズに行えるようになる。
【００２０】
請求項３記載のセパレータ用プラグ装置では、上述のように、かぶり延長筒の軸心孔は、軸足ボルトの外周面との間に所定の環状隙間が形成されるように軸足ボルトの外径より大径に形成されることで、コーンにおける軸心孔の寸法精度のばらつきにより、固定ナット１と該固定ナットに対しコーンの軸心がずれた状態で嵌着固定された場合であっても、軸足ボルトがかぶり延長筒の軸心孔の内周面に圧接することが防止され、これにより、軸足ボルトの抜き取りを困難にすることを防止することができるようになる。
【００２１】
請求項４記載のセパレータ用プラグ装置では、上述のように、かぶり延長筒は、その基端開口縁部にコーンの軸心孔内に差し込み可能な外径を有する環状突部を設けたことで、コーンとかぶり延長筒との軸心のずれを防止することができる。
【００２２】
請求項５記載のセパレータ用プラグ装置では、上述のように、軸足ボルトの先端部には該軸足ボルトを回転操作可能な工具掛け部が形成されているため、コンクリート硬化後における軸足ボルトの抜き取りが容易に行えるようになる。
【００２３】
請求項６記載のセパレータ用プラグ装置では、上述のように、かぶり延長筒が合成樹脂で構成されることで、かぶり延長筒の軸心孔にボルトをねじ込んで、かぶり延長筒を容易に引き抜くことができるようになる。
【００２４】
請求項７記載のセパレータ用プラグ装置では、上述のように、かぶり延長筒の外周面が先端側へ行くにつれて大径になるテーパー面に形成されることで、かぶり延長筒の抜き取りを容易に行うことができるようになる。
【００２５】
請求項８記載のセパレータ用プラグ装置では、上述のように、コーンがセメントと同類のケイ酸塩鉱物であるセラミックスで構成されることにより、コンクリートとの馴染み・付着性に優れ、かつ、耐塩・耐食性に優れるため、耐久性及び塩害防止上有利である。そして、特にこの場合、かぶり延長筒３を備えることで、かぶり厚さを延長することができるため、その分だけ肉厚のコーンの長さを短くすることができ、これにより、材料コストを低減できるようになる。
【００２６】
請求項９記載のセパレータ用プラグ装置では、上述のように、かぶり延長筒の軸心孔とコーンの軸心孔内に圧入して止水可能な止水栓が備えられることで、面倒なコンクリートによる穴埋め作業を省略し、塩害を防止することができるようになる。
【００２７】
請求項１０記載のセパレータ用プラグ装置では、上述のように、リングプレートは、軸足ボルトの外周面との間に十分な環状隙間が形成されるように軸足ボルトの外径より大径の軸心孔と、コーンの先端外形より大径でコーンとの当節面側が凸球面に形成され、コーンにおける軸心孔の先端開口縁部に面取り状テーパー部が形成されている構成としたことで、コーンの面取り状テーパー部に対しリングプレートの凸球面が自在に摺動して先端面が傾斜するため、セパレータ自体を曲げる等の面倒な作業を必要とすることなしに、傾斜角が設けられたコンクリート型枠板に対し、その傾斜角に応じてリングプレートの先端面を傾斜するコンクリート型枠板の内面に沿わせて当接させることが可能になる。
これにより、労力の低減と工期短縮が可能になる。
【００２８】
請求項１１記載のセパレータ用プラグ装置では、上述のように、面取り状テーパー部がリングプレートの凸球面に沿った凹球面に形成されることで、コーンに対するリングプレートの傾斜がスムーズに行えるようになる。
【００２９】
請求項１２記載のセパレータ用プラグ装置では、上述のように、かぶり延長筒の軸心孔とコーンの軸心孔内に圧入して止水可能な止水栓が備えられることで、面倒なコンクリートによる穴埋め作業を省略し、塩害を防止することができるようになる。
【図面の簡単な説明】
【００３０】
【図１】実施例１のセパレータ用プラグ装置を示す半断面図である。
【図２】実施例１のセパレータ用プラグ装置におけるリングプレートを示す拡大正面図ある。
【図３】図２のＳ３―Ｓ３線における断面図である。
【図４】実施例１のセパレータ用プラグ装置における止水栓を示す拡大側面図である。
【図５】実施例１のセパレータ用プラグ装置の使用状態を示す断面図である。
【図６】実施例１のコンクリート打設後における仕上げ処理工程を示す断面図である。
【図７】実施例２のセパレータ用プラグ装置を示す半断面図である。
【図８】実施例２のセパレータ用プラグ装置における止水栓を示す側面図である。
【図９】実施例２のセパレータ用プラグ装置の使用状態を示す断面図である。
【図１０】実施例２のコンクリート打設後における仕上げ処理工程を示す断面図である。
【図１１】従来例のセパレータ用プラグ装置の使用状態を示す断面図である。
【発明を実施するための形態】
【００３１】
以下にこの発明の実施例を図面に基づいて説明する。
【実施例１】
【００３２】
この実施例１のセパレータ用プラグ装置は、図１〜３に示すように、固定ナット１と、筒状のコーン２と、かぶり延長筒３と、軸足ボルト４と、セパレータ５と、止水栓６と、リングプレート１０と、を主な構成として備えている。
【００３３】
さらに詳述すると、前記固定ナット１は、コーン２をセパレータ５の両端部に連結させる役目をなすもので、金属で円筒状に形成され、その軸心孔の両端にセパレータ５の両端雄ねじ部５１を螺合連結する雌ねじ部１１と、軸足ボルト４の基端側雄ねじ部４１を螺合連結する雌ねじ部１２が独立して形成されている。そして、固定ナット１の中途部外周には係止フランジ部１３が突出形成されている。
【００３４】
前記コーン２は、図５に示すように、コンクリート７内に埋め殺しにされ、コンクリート７のかぶりｋの一部を形成する役目をなすもので、セラミックスで軸心孔２１を有する円筒状に形成されていて、固定ナット１の先端側に嵌着され、その端面が係止フランジ部１３に当接係止された状態で位置決め固定されている。
【００３５】
図１に戻り、前記かぶり延長筒３は、ＡＢＳ等の合成樹脂で一体に形成されたもので、軸足ボルト４を挿通可能で該軸足ボルト４の外周面との間に所定の環状隙間が形成されるように該軸足ボルト４の外径より大径の軸心孔３１と、コーン２の軸心孔２１より大径の外径を有する筒状でその基端開口縁部にコーン２の軸心孔２１内に差し込み可能な外径を有する環状突部３３が備えられている。
【００３６】
また、かぶり延長筒３の外周面が先端側へ行くにつれて大径になるテーパー面に形成されている。
【００３７】
前記リングプレート１０は、図１〜３、５に示すように、ＡＢＳ等の合成樹脂で一体に形成され、かぶり延長筒３の先端面とコンクリート型枠板８との間に介装されるもので、軸足ボルト４の外周面との間に十分な環状隙間が形成されるように軸足ボルト４の外径より大径の軸心孔１０ａと、かぶり延長筒３の先端外形より大径でかぶり延長筒３との当節面側が凸球面１０ｂに形成されている。
なお、前記軸心孔１０ａは、凸球面１０ｂ側が大径の円錐状に形成されている。
【００３８】
また、リングプレート１０の外周縁部３カ所に、切欠部１０ｃが形成されている。この切欠部１０ｃは、コンクリート型枠板８を外す時に、自然落下して紛失するのを防止する役目をなす。
【００３９】
また、かぶり延長筒３における軸心孔３１の先端開口縁部に形成される面取り状テーパー部３２が、リングプレート１０の凸球面１０ｂに沿った凹球面に形成されている。
【００４０】
前記軸足ボルト４は、図５に示すように、リングプレート１０に当接係止されたコンクリート型枠板８を固定する役目をなすもので、コーン２の先端側からその軸心孔２１内に差し込んでその基端に形成された雄ねじ部４１を固定ナット１の雌ねじ部１２に螺合して連結させるようになっている。
【００４１】
また、この軸足ボルト４の先端側には、図５に示すように、ホームタイ９を螺合してリングプレート１０との間でコンクリート型枠板８を挟持固定する雄ねじ部４２が形成され、この雄ねじ部４２の先端部には、該軸足ボルト４を回転操作可能な断面方形のスパナ掛け部（工具掛け部）４３が切欠形成されている。
【００４２】
前記止水栓６は、図６（ニ）に示すように、
軸足ボルト４、リングプレート１０及びかぶり延長筒３の脱却後形成される穴に圧入して埋め込むことにより止水する役目をなすもので、図４にその詳細を示すように、エラストマーで棒状に形成され、その基端部と中途部には、複数のヒダ６１が形成されている。
【００４３】
次に、この実施例１の作用・効果を説明する。
【００４４】
この実施例１では上述のように構成されるため、図５に示すように、コンクリート型枠板８に形成された挿通孔８１に軸足ボルト４を挿通させ、その先端雄ねじ部４２にホームタイ９を螺合してリングプレート１０との間でコンクリート型枠板８を挟持固定する。そして、打設したコンクリート７が固まった後、軸足ボルト４に対するホームタイ９の螺合状態を解除させることにより、コンクリート型枠板８を取り外す。
【００４５】
そして、コンクリート型枠板８を取り外した後、図６（イ）に示すように、固定ナット１の雌ねじ部１２に螺合された軸足ボルト４を、その先端部に形成されたスパナ掛け部４３にスパナを掛けて螺合状態を解除させて引き抜く。
次に、図６（ロ）に示すように、リングプレート１０を取り外す。
【００４６】
次に、図６（ハ）に示すように、ＡＢＳ等の合成樹脂で構成されたかぶり延長筒３の軸心孔３１にボルト３４をねじ込んで、ラムチャー等でかぶり延長筒３をコンクリート７内から引き抜く。
【００４７】
次に、図５（ニ）に示すように、かぶり延長筒３の抜き取り後に形成される跡穴７１及びコーン２の軸心孔２１内を清掃した後、両穴７１、２１内に止水栓６を圧入することにより、止水作業を完了する。
【００４８】
以上詳細に説明してきたように、この実施例１のセパレータ用プラグ装置にあっては、上述のように、リングプレート１０は、軸足ボルト４の外周面との間に十分な環状隙間が形成されるように軸足ボルト４の外径より大径の軸心孔１０ａと、かぶり延長筒３の先端外形より大径でかぶり延長筒３との当節面側が凸球面１０ｂに形成され、かぶり延長筒３における軸心孔３１の先端開口縁部に面取り状テーパー部３２が形成されている構成としたことで、かぶり延長筒３の面取り状テーパー部３２に対しリングプレート１０の凸球面１０ｂが自在に摺動してコンクリート型枠板８に当接する先端面が自在に傾斜するため、セパレータ５自体を曲げる等の面倒な作業を必要とすることなしに、傾斜角が設けられたコンクリート型枠板８に対し、その傾斜角に応じてリングプレート１０の先端面を傾斜するコンクリート型枠板８の内面に沿わせて当接させることが可能になる。
これにより、労力の低減と工期短縮が可能になる。
また、前記軸心孔１０ａは、凸球面１０ｂ側が大径の円錐状に形成されることで、軸心のずれを防止しつつ、リングプレート１０の傾斜が可能になる。
【００４９】
また、面取り状テーパー部３２がリングプレート１０の凸球面１０ｂに沿った凹球面に形成されることで、かぶり延長筒３に対するリングプレート１０の傾動がスムーズに行えるようになる。
【００５０】
また、かぶり延長筒３の軸心孔３１は、軸足ボルト４の外周面との間に所定の環状隙間が形成されるように軸足ボルト４の外径より大径に形成されることで、コーン２における軸心孔２１の寸法精度のばらつきにより、固定ナット１と該固定ナット１に対しコーン２の軸心がずれた状態で嵌着固定された場合であっても、軸足ボルト４がかぶり延長筒３の軸心孔３１の内周面に圧接することが防止され、これにより、軸足ボルト４の抜き取りを困難にすることを防止することができるようになる。
【００５１】
また、かぶり延長筒３は、その基端開口縁部にコーン２の軸心孔２１内に差し込み可能な外径を有する環状突部３３を設けたことで、コーン２とかぶり延長筒３との軸心のずれを防止することができる。
【００５２】
また、軸足ボルト４の先端部には該軸足ボルト４を回転操作可能な工具掛け部４３が形成されているため、コンクリート硬化後における軸足ボルト４の抜き取りが容易に行えるようになる。
【００５３】
また、かぶり延長筒３が合成樹脂で構成されることで、かぶり延長筒３の軸心孔３１にボルト３４をねじ込んで、かぶり延長筒３を容易に引き抜くことができるようになる。
【００５４】
また、かぶり延長筒３の外周面が先端側へ行くにつれて大径になるテーパー面に形成されることで、かぶり延長筒３の抜き取りを容易に行うことができるようになる。
【００５５】
また、コーン２がセメントと同類のケイ酸塩鉱物であるセラミックスで構成されることにより、コンクリート７との馴染み・付着性に優れ、かつ、耐塩・耐食性に優れるため、耐久性及び塩害防止上有利である。そして、特にこの場合、かぶり延長筒３を備えることで、かぶり厚さを延長することができるため、その分だけ肉厚のコーン２の長さを短くすることができ、これにより、材料コストを低減できるようになる。
【００５６】
また、かぶり延長筒３の引き抜き後の跡穴７１とコーン２の軸心孔２１内に圧入して止水可能な止水栓６が備えられることで、面倒なコンクリートによる穴埋め作業を省略し、塩害を防止することができるようになる。
【００５７】
次に、他の実施例について説明する。
この他の実施例の説明にあたっては、前記実施例１と同様の構成部分については図示を省略し、もしくは同一の符号を付けてその説明を省略し、相違点についてのみ説明する。
【実施例２】
【００５８】
この実施例２は、実施例１におけるセパレータ用プラグ装置の変形例を示すものであり、図１０、１１に示すように、かぶり延長筒３を省略した点で実施例１とは相違したものである。
すなわち、この実施例２のセパレータ用プラグ装置は、固定ナット１と、筒状のコーン２と、軸足ボルト４と、セパレータ５と、止水栓６２と、リングプレート１０と、を主な構成として備えている。
【００５９】
さらに詳述すると、かぶり延長筒を省略し、コーン２における軸心孔２１の先端開口縁部にリングプレート１０の凸球面１０ｂが自在に摺動する凹球面状の面取り状テーパー部２２が形成されている。
【００６０】
次に、実施例２の作用・効果を説明する。
この実施例２のセパレータ用プラグ装置は、上述の構成よりなるため、図７、９に示すように、コンクリート型枠板８に形成された挿通孔８１に軸足ボルト４を挿通させ、その先端雄ねじ部４２にホームタイ９を螺合してリングプレート１０との間でコンクリート型枠板８を挟持固定する。そして、打設したコンクリートが固まった後、軸足ボルト４に対するホームタイ９の螺合状態を解除させることにより、コンクリート型枠板８を取り外す。
【００６１】
そして、コンクリート型枠板８を取り外した後、図１０（イ）に示すように、固定ナット１の雌ねじ部１２に螺合された軸足ボルト４を、その先端部に形成されたスパナ掛け部４３にスパナを掛けて螺合状態を解除させて引き抜く。
【００６２】
次に、図１０（ロ）に示すように、リングプレート１０を取り外す。
【００６３】
次に、図１０（ハ）に示すように、コーン２の軸心孔２１内を清掃した後、軸心孔２１内に図８に示す止水栓６２を圧入することにより、止水作業を完了する。
【００６４】
以上詳細に説明してきたように、この実施例２では、かぶり延長筒を省略し、コーン２における軸心孔２１の先端開口縁部に凹球面状の面取り状テーパー部２２が形成されることで、コーン２に対するリングプレート１０のスムーズな傾動が可能になる。
従って、上記実施例１とほぼ同様の効果が得られる。
【００６５】
以上本実施例を説明してきたが、本発明は上述の実施例に限られるものではなく、本発明の要旨を逸脱しない範囲の設計変更等があっても、本発明に含まれる。
【００６６】
例えば、実施例１では、かぶり延長筒３をＡＢＳ等の合成樹脂で形成したが、他の材料で形成するようにしてもよい。
【００６７】
また、かぶり延長筒３における軸心孔３１の少なくとも先端縁部側に雌ねじ部を形成することにより、この雄ねじ部にボルトを螺合して、かぶり延長筒３を容易に引き抜くことができるようになる。
また、コーン２とかぶり延長筒３の長さの割合は任意である。
【００６８】
また、実施例では、コーン２をセラミックスで形成したが、合成樹脂やコンクリート等で形成させてもよく、要は、金属等の腐食性材料以外であればよい。
【符号の説明】
【００６９】
１ 固定ナット
１１ 雌ねじ部
１２ 雌ねじ部
１３ 係止フランジ部
２ コーン
２１ 軸心孔
２２ 凹球面
３ コンクリート型枠板支持体
３１ 軸心孔
３２ 面取り状テーパー部
３３ 環状突部
３４ ボルト
４ 軸足ボルト
４１ 雄ねじ部
４２ 雄ねじ部
４３ スパナ掛け部（工具掛け部）
５ セパレータ
５１ 雄ねじ部
６ 止水栓
６１ ヒダ
６２ 止水栓
７ コンクリート
７１ 跡穴
８ コンクリート型枠板
８１ 挿通孔
９ ホームタイ
１０ リングプレート
１０ａ 軸心孔
１０ｂ 凸球面
１０ｃ 切欠部
ｋ かぶり
【図１】
2014020122.tif 000003
【図２】
2014020122.tif 000004
【図３】
2014020122.tif 000005
【図４】
2014020122.tif 000006
【図５】
2014020122.tif 000007
【図６】
2014020122.tif 000008
【図７】
2014020122.tif 000009
【図８】
2014020122.tif 000010
【図９】
2014020122.tif 000011
【図１０】
2014020122.tif 000012
【図１１】
2014020122.tif 000013